(57)【要約】      （修正有）【課題】カレー、シチュー等の煮込み料理を撹拌する撹拌装置に係るものであって、鍋の大きさに応じて鍋の径方向に自動的に可動する撹拌子を備えた撹拌装置を提供する。【解決手段】鍋に固定する取付機構を備える駆動部２と、駆動部から下方へ設置される出力軸３と、出力軸に設置され鉛直方向に長さ調節可能な連結軸４と、連結軸と交会して鍋内部を撹拌する撹拌子とを備える撹拌装置１において、取付機構は、駆動部に設置されるベース部２ｂに回動自在に取り付けられるアーム部７と、アーム部に挿通され、係止部材６を介して長さ調節可能な延伸部と、延伸部の端部に設置される支持部８とを備え、連結軸と交会する支軸４ａに摺動可能な可動撹拌子５ｂを備えることを特徴とする。【選択図】図１
0003157779.tif 000002
【実用新案登録請求の範囲】
【請求項１】
鍋に固定する取付機構を備える駆動部と、駆動部から下方へ突出する出力軸と、出力軸に設置され鉛直方向に長さ調節可能な連結軸と、連結軸と交会して鍋内部を撹拌する撹拌子とを備える撹拌装置において、
取付機構は、駆動部に設置されるベース部に回動自在に取り付けられるアーム部と、
アーム部に挿通され、係止部材を介して長さ調節可能な延伸部と、
延伸部の端部に設置される支持部とを備え、
連結軸と交会する支軸に摺動可能な可動撹拌子を備えることを特徴とする撹拌装置。
【請求項２】
連結軸と交会し、可動撹拌子が挿通される支軸と異なる支軸に固定撹拌子と備える請求項１に記載の撹拌装置。
【請求項３】
延伸部に目盛部を備える請求項１又は請求項２に記載の撹拌装置。
【請求項４】
支持体に弾性を有する合成樹脂又は合成ゴムから形成されるグリップ部を備える請求項１乃至請求項３のいずれか１項に記載の撹拌装置。
【考案の詳細な説明】
【技術分野】
【０００１】
本考案は、撹拌装置に係るものであって、特にカレー、シチュー等の煮込み料理を撹拌する撹拌装置に関するものである。
【背景技術】
【０００２】
従来より、カレー、シチュー等の煮込み料理における焦げ付きを防止する為の撹拌装置が知られている。例えば、撹拌子を取り付けるチャッキング機構と、チャッキング機構を取り付ける支持棒と、駆動部の出力軸に取り付けられ、支持棒を取り付けるアダプターと、駆動部を鍋に固定する機構とから構成される撹拌装置が公知である（例えば、特許文献１参照）。
【０００３】
また、鍋蓋を利用して撹拌装置を取り付けた撹拌装置であって、鍋蓋上に取付け手段を介して駆動部を設け、鍋蓋中央に開設された孔を貫通させた連結軸を介して駆動部に撹拌子を取り付け、蓋を閉じた状態にて鍋内で撹拌子を回転駆動できる撹拌装置が公知である（例えば、特許文献２参照）。
【先行技術文献】
【特許文献】
【０００４】
【特許文献１】特開平２−１４２５２０号公報
【特許文献２】特開２００２−５２２３８号公報
【０００５】
特許文献１に係る構造では、駆動部の出力軸における支持棒の取付高さを調節することができないので、使用者が撹拌子を任意に選定することで、鍋の底部を撹拌しなければならなかった。また、駆動部の鍋への固定機構は所定の鍋には対応するものの任意の鍋には対応しない虞があった。
【０００６】
特許文献２に係る構造では、撹拌子の取付高さを任意に調節できるものであり、鍋の底部を撹拌する径方向への撹拌翼板の長さも任意に調節できるものであるが、鍋の大きさに応じて、撹拌子の取付高さ及び撹拌翼板の長さを調節しなければならず、煩雑さが懸念されるものであった。
【考案の概要】
【考案が解決しようとする課題】
【０００７】
そこで、本考案はこのような問題点を解決するものであって、カレー、シチュー等の煮込み料理を撹拌する撹拌装置に係るものであって、鍋の大きさに応じて鍋の径方向に自動的に可動する撹拌子を備えた撹拌装置を提供することを課題とする。
【課題を解決するための手段】
【０００８】
前記問題点を解決するために、本考案の請求項１に記載の考案の撹拌装置は、鍋に固定する取付機構を備える駆動部と、駆動部から下方へ設置される出力軸と、出力軸に設置され鉛直方向に長さ調節可能な連結軸と、連結軸と交会して鍋内部を撹拌する撹拌子とを備える撹拌装置において、取付機構は、駆動部に設置されるベース部に回動自在に取り付けられるアーム部と、アーム部に挿通され、係止部材を介して長さ調節可能な延伸部と、延伸部の端部に設置される支持部とを備え、連結軸と交会する支軸に摺動可能な可動撹拌子を備えることを特徴とするものである。
【０００９】
また、本考案の請求項２に記載の考案の撹拌装置は、請求項１に記載の撹拌装置において、連結軸と交会し、可動撹拌子が挿通される支軸と異なる支軸に固定撹拌子と備えるものである。
【００１０】
また、本考案の請求項３に記載の考案の撹拌装置は、請求項１又は請求項２に記載の撹拌装置において、延伸部に目盛部を備えるものである。
【００１１】
また、本考案の請求項４に記載の考案の撹拌装置は、請求項１乃至請求項３のいずれか１項に記載の撹拌装置において、支持体に弾性を有する合成樹脂又は合成ゴムから形成されるグリップ部を備えるものである。
【考案の効果】
【００１２】
本考案の請求項１に記載の撹拌装置では、駆動部に設置されるベース部に回動自在に取り付けられるアーム部と、アーム部に挿通され、係止部材を介して長さ調節可能な延伸部と、延伸部の端部に設置される支持部とから構成される取付機構を備えるので、鍋の径に合致するよう、アーム部の延伸部を伸縮させ、アーム部を回動させて、撹拌装置を鍋の縁部に設置することができる。
また、連結軸と交会する支軸に摺動可能な可動撹拌子を備えるので、撹拌における遠心力を利用することで、鍋の径方向に対する可動撹拌子の長さ調節を自動的に行うことができ、長さ調節時における煩雑さを解消することができる。これにより、鍋の大きさにかかわらず、鍋の周面付近の煮込み料理を焦げ付かないように撹拌することができる。
【００１３】
本考案の請求項２に記載の撹拌装置では、請求項１に記載の撹拌装置において、連結軸と交会し、可動撹拌子が挿通される支軸と異なる支軸に固定撹拌子と備えるので、連結軸の周辺、すなわち鍋の中心部を焦げ付かないように撹拌することができる。これにより、固定撹拌子及び可動撹拌子によって、鍋における中心部及び周面付近を効率よく均等に撹拌することができ、煮込み料理の焦げ付きを更に防止することができる。
【００１４】
本考案の請求項３に記載の撹拌装置では、請求項１又は請求項２に記載の撹拌装置において、延伸部に目盛部を備えるので、鍋の大きさに応じてアーム部の延伸部を伸縮させる際、各アーム部の長さを容易に調節することができる。
【００１５】
本考案の請求項４に記載の撹拌装置では、請求項１乃至請求項３のいずれか１項に記載の撹拌装置において、支持体に弾性を有する合成樹脂又は合成ゴムから形成されるグリップ部を備えるので、鍋の縁部にしっかりと固定することができる。
【図面の簡単な説明】
【００１６】
【図１】本考案の実施例における撹拌装置の斜視図である。
【図２】本考案の実施例における撹拌装置の図１のＡ−Ａ断面図である。
【図３】本考案の実施例における撹拌装置を鍋に取り付けた状態説明図である。
【図４】本考案の実施例における他の実施例の撹拌装置の斜視図である。
【考案を実施するための形態】
【００１７】
以下、本考案の実施の形態における撹拌装置を図面に基づいて説明する。
【実施例】
【００１８】
本考案の実施例に係る撹拌装置１を図１乃至図３に基づいて説明する。撹拌装置１は、図１に示すように、操作スイッチ２ａを備える駆動部２、出力軸３、連結軸４、撹拌子５及び鍋への取付機構を構成するアーム部７、支持部８とから構成される。
【００１９】
外側面に操作スイッチ２ａを備える駆動部２は、例えば四角形状に形成され、内部にモーター、バッテリー等の電力手段を備えてなる。モーターは、例えばギヤードモーターを採用し、１分間に５回転程度の低速で撹拌できるものであればよい。各側面には、鍋への取付機構を構成するアーム部７を設置する為のベース部２ｂが突出して設けられている。また、底面には動力を伝達する出力軸３が突出して設けられている。
【００２０】
駆動部２の下方には、鉛直方向への長さ調節を可能とする連結軸４が係止部材６を介して出力軸３に挿通し設置されている。連結軸４の下端には、連結軸４と直交するように２本の支軸４ａが同一直線上になるよう設置されており、支軸４ａには例えば木材、合成樹脂から形成される略円筒形状の撹拌子５が取り付けられている。詳細には、一方の支軸４ａには、支軸４ａに設けられたネジ等の固着手段によって固定撹拌子５ａが設置され、他方の支軸４ａには、長手方向に挿通孔を有する可動撹拌子５ｂが摺動可能に設置されている。このとき、連結軸４周辺の撹拌を効率よく行う為に、固定撹拌子５ａは連結軸４に近接させることが望ましい。当該撹拌子５は、連結軸４及び係止部材６により、図２に示す矢印Ｄのように鉛直方向に長さ調節が可能となる。連結軸４に対する支軸４ａへの取り付けは同一直線上に限られることなく、任意の角度に設置できることは勿論である。
【００２１】
鍋１０への取付機構は、アーム部７及び支持部８とから構成される。アーム部７は、例えば長手方向に挿通孔を有する角柱から形成され、当該挿通孔にはアームの長さ調節を可能とする延伸部７ａが係止部材９を介して設置されている。また、図２に示すように、延伸部７ａには目盛部７ｂが設けられており、矢印Ｃのように延伸部７ａを伸縮させる際の位置決めに用いられる。更に、延伸部７ａの端部には、鍋１０の縁部に掛止し易いように略逆Ｖ字形状の支持部８が設けられている。また、支持部８の端面には、滑り止めの効果を奏するよう、弾性を有する合成樹脂又は合成ゴムから形成されるグリップ部８ａを設けることが望ましい。
【００２２】
当該取付機構はピン２ｃ等を介してベース部２ｂに取り付けられ、ピン２ｃを回動中心として、矢印Ｂのようにベース部２ｂに対して支持部８が鉛直下方位置から水平位置となるよう、駆動部２の外側方向へ回動することができる。このとき、ベース部２ｂ及びアーム部７の形状により、取付機構の回動角度を規制することもできる。
【００２３】
このようにして構成される撹拌装置１は、図３に示すように、煮込み料理Ｒの入った鍋１０の縁部に設置される。具体的には、必要であれば取付機構であるアーム部７の延伸部７ａを伸縮させ、鍋１０の径に合致するようアーム部７を回動させて、撹拌装置１を鍋１０の縁部に設置する。次に、鍋１０の底部に撹拌子５が位置するよう、係止部材６を介して長さ調節を行う。
【００２４】
操作スイッチ２ａにより撹拌装置１を作動させると、支軸４ａに摺動可能に設置された可動撹拌子５ｂが矢印Ｅに示すように、撹拌における遠心力によって、鍋１０の径方向へ可動し、周面付近の煮込み料理Ｒを焦げ付かないように撹拌する。一方、固定撹拌子５ａは、連結軸４の周辺、すなわち鍋１０の中心部を焦げ付かないように撹拌する。これにより、鍋１０における中心部及び周面付近を効率よく均等に撹拌することができ、煮込み料理Ｒの焦げ付きを防止することができる。
【００２５】
以上、説明した本考案に係る撹拌装置１によれば、撹拌における遠心力を利用することで、鍋１０の径方向に対する可動撹拌子５ｂの長さ調節を自動的に行うことができるので、長さ調節時における煩雑さを解消することができる。また、延伸部７ａには目盛部７ｂを設けているので、各アーム部７の長さを容易に調節することができる。更に、支持部８にグリップ部８ａを設けているので、鍋１０の縁部にしっかりと固定することができる。
【００２６】
当該撹拌装置１は、上記実施例に限られることなく駆動部３を円筒形状等とすることもできる。また、アーム部７を円柱から形成し、駆動部２に対して三脚となるように形成することもできる。適宜、その他の形状に設計変更できることは勿論である。
【００２７】
また、図４に示すように、出力軸３と連結軸４を連結部１１にて連結することで、鉛直方向の長さ調節を行うこともできる。連結部１１には、例えば紐、ゴム紐、鎖等を採用することができる。これにより、撹拌装置１ａを鍋１０に設置した際には、連結軸４及び撹拌子５の自重によって、連結部１１の全長又は伸長可能な範囲で自動的に鉛直下向へ長さ調節を行うことができるので、鍋１０の底部の焦げ付きを防止して撹拌することができる。更に、撹拌終了後の撹拌装置１ａの回収時においても、連結軸４及び撹拌子５は連結部１１にて出力軸３に設置されているので、鍋１０の底部に残存することはない。また、連結軸４に出力軸３との長さ調節可能とする係止部材６を設けた上記実施例と自重にて長さ調節可能とする連結部１１を設けた機構を組み合わせることができることは勿論である。
【符号の説明】
【００２８】
１、１ａ  撹拌装置
２      駆動部
２ａ    操作スイッチ
２ｂ    ベース部
２ｃ    ピン
３      出力軸
４      連結軸
４ａ    支軸
５      撹拌子
５ａ    固定撹拌子
５ｂ    可動撹拌子
６      係止部材
７      アーム部
７ａ    延伸部
７ｂ    目盛部
８      支持部
８ａ    グリップ部
９      係止部材
１０    鍋
１１    連結部
Ｒ      煮込み料理
【図１】
0003157779.tif 000003
【図２】
0003157779.tif 000004
【図３】
0003157779.tif 000005
【図４】
0003157779.tif 000006
【手続補正書】
【提出日】平成21年12月10日(2009.12.10)
【手続補正１】
【補正対象書類名】明細書
【補正対象項目名】００１１
【補正方法】変更
【補正の内容】
【００１１】
また、本考案の請求項４に記載の考案の撹拌装置は、請求項１乃至請求項３のいずれか１項に記載の撹拌装置において、支持部に弾性を有する合成樹脂又は合成ゴムから形成されるグリップ部を備えるものである。
【手続補正２】
【補正対象書類名】明細書
【補正対象項目名】００１５
【補正方法】変更
【補正の内容】
【００１５】
本考案の請求項４に記載の撹拌装置では、請求項１乃至請求項３のいずれか１項に記載の撹拌装置において、支持部に弾性を有する合成樹脂又は合成ゴムから形成されるグリップ部を備えるので、鍋の縁部にしっかりと固定することができる。
【手続補正３】
【補正対象書類名】実用新案登録請求の範囲
【補正対象項目名】請求項４
【補正方法】変更
【補正の内容】
【請求項４】
支持部に弾性を有する合成樹脂又は合成ゴムから形成されるグリップ部を備える請求項１乃至請求項３のいずれか１項に記載の撹拌装置。